(57)【要約】【課題】  中に避難することによって例えば津波や大水から避難者を守ることができる水上浮遊型の災害避難用装置において、災害避難用装置がどのような角度で傾いていたとしても、室内スペースの水平状態を保つことにより、中に避難した避難者が通常の姿勢を保つことができるようにすることにある。【解決手段】  水上浮遊型の災害避難用装置Ａ１は、出入口３０を備えており剛性を有する外殻体１と、該外殻体１内に収容され、外殻体１に対し自由方向に回動可能な球形のカプセル２とを備えている。カプセル２は、水密性が保たれた室内スペース２００と、該室内スペース２００を本質的に水平状態に保つためのバランス用の錘２２と、出入口３０と通じると共にカプセル２の外から室内スペース２００へ出入りするための水密に閉塞可能な内部出入口２０ａ，２０ｂとを有している。【選択図】          図１
2006158874.tif 000002
【特許請求の範囲】
【請求項１】
水上浮遊型の災害避難用装置であって、
出入口(20a,20b)を有する球形のカプセル(2)と、
該カプセル(2)の周りを囲んで設けてありカプセル(2)とは相対的に自由に動けるように構成してある外殻体(1)と、
を有し、
該外殻体(1)は剛性を有し、カプセル(2)の出入口(20a,20b)と対応する所要数の出入口(30)を有しており、
カプセル(2)は底に相当する部分が地球の重力中心に向かうよう構成してあることを特徴とする、
災害避難用装置。
【請求項２】
水上浮遊型の災害避難用装置であって、
出入口(30)を備えており剛性を有する外殻体(1)と、
該外殻体(1)内に収容され、外殻体(1)に対し自由方向に回動可能な球形のカプセル(2)と、
を備えており、
該カプセル(2)は、水密性が保たれた室内スペース(200)と、該室内スペース(200)を本質的に水平状態に保つためのバランス体(22)と、上記出入口(30)と通じると共にカプセル(2)の外から室内スペース(200)へ出入りするための水密に閉塞可能な内部出入口(20a,20b)とを有していることを特徴とする、
災害避難用装置。
【請求項３】
水上浮遊型の災害避難用装置であって、
出入口(30)を備えており剛性を有する外殻体(1)と、
該外殻体(1)内に収容され、外殻体(1)に対し自由方向に回動可能な中核体(7)と、
該中核体(7)内に収容され、中核体(7)に対し自由方向に回動可能な球形のカプセル(2)と、
を備えており、
該カプセル(2)は、水密性が保たれた室内スペース(200)と、該室内スペース(200)を本質的に水平状態に保つためのバランス体(22)と、カプセル(2)の外から室内スペース(200)へ出入りするための水密に閉塞可能な内部出入口(20a,20b)とを有し、
上記中核体(7)は、上記出入口(30)及び内部出入口(20a,20b)と通じる中部出入口(70a,70b)を有していることを特徴とする、
災害避難用装置。
【請求項４】
内部出入口(20a,20b)と中部出入口(70a,70b)を合わせるために、カプセル(2)または／及び中殻体(7)を回動させる回動手段(9)を有していることを特徴とする、
請求項３記載の災害避難用装置。
【請求項５】
外殻体(1)は出入口(30)を周面全体にわたって複数有していることを特徴とする、
請求項１，２，３または４記載の災害避難用装置。  
【請求項６】
外殻体(1)は外部から受ける衝撃を和らげる緩衝手段を有していることを特徴とする、
請求項１，２，３，４または５記載の災害避難用装置。  
【請求項７】
外殻体(1)は正五角形の枠体と正六角形の枠体が複数結合されることで形成され、該枠体で囲まれた空間箇所が出入口(30)を構成していることを特徴とする、
請求項１，２，３，４，５または６記載の災害避難用装置。
【発明の詳細な説明】
【技術分野】
【０００１】
本発明は災害避難用装置に関する。
更に詳しくは、中に避難することによって例えば津波や大水から避難者を守ることができる水上浮遊型の災害避難用装置において、災害避難用装置がどのような角度で傾いたとしても、室内スペースの水平状態を保つことにより、中に避難した避難者が通常の姿勢を保つことができるようにしたものに関する。
【背景技術】
【０００２】
世界有数の地震国であり、四方を海に囲まれた我が国は、昔から数々の地震による津波災害に見舞われてきた。例えば１９９３年に起きた北海道南西沖地震による奥尻島の津波災害が記憶に新しいところであり、これによって一瞬にして数百棟の家屋と２００名以上の尊い人命が失われるに至った。
【０００３】
地震発生時に重要なことは、津波が襲ってくる前にいち早く高台等に避難することである。しかし、避難できる高台等がない沿岸地域では、沿岸に立つビルやマンションを一時的な避難場所にするしかない。
【０００４】
そこで、本願発明者は、避難できる高台等がないような地理的条件下であっても、中に避難することによって避難者を危険から守ることができる災害避難用装置の開発に着手した。
即ち、高台等に逃げることができない場合には、津波によって家屋と共に押し流されるような事態となるが、災害避難用装置を水上に浮遊するできるような構造とすれば、津波に押し流されても水没することなく安全に避難することが可能であると考え、本発明者は水上浮遊型の災害避難装置の開発に取り組んだ。
【０００５】
ところで、特許文献１には、津波や大水があった場合に使用する浮遊船について開示されている。これによれば、「浮遊船は水密と成り浮遊船内に水が侵入することがない。しかも、浮遊船が波でローリングしたとしても、収容室は浮遊船に対し揺動自在であるため、そのローリングに伴って揺れることがない。このため収容室に入っている者は支持棒に掴まっていれば通常の姿勢を保ち得る。」といった技術的事項が開示されている。
【特許文献１】特開平８−２７６８９４号公報
【発明の開示】
【発明が解決しようとする課題】
【０００６】
しかしながら、特許文献１に記載のものは次のような課題があった。
(1) 「船体の略中央を通る支持棒を設けると共に、該支持棒を中心に揺動可能の収容室を設ける。」というような構造を採用しているため、収容室は支持棒を軸中心として周方向に揺動することはできるが、支持棒の軸心方向やその他の角度方向には揺動することはできない。よって、例えば津波に流された後に、支持棒の軸心方向が水平面から傾いた状態で海岸の岩場等に打ち上げられたような場合には、収容部も傾いた状態となり、通常の姿勢を保つことはできない。
【０００７】
(2) また津波の来襲時においては、押し寄せる波による揺れの影響は単純な左右方向だけとは限らず、あらゆる方向からの揺れの影響を受ける。よって、支持棒を軸中心として周方向だけにしか揺動できない特許文献１に記載のものでは、このあらゆる方向からの揺れに対応できない。
【０００８】
(3) 更に、例えば出入口を下に向けた状態で海岸等に打ち上げられたような場合には、出入口が地面によって塞がれるため、船内から脱出すること自体が不可能となる。
【０００９】
（本発明の目的）
そこで本発明の目的は、中に避難することによって例えば津波や大水から避難者を守ることができる水上浮遊型の災害避難用装置において、災害避難用装置がどのような角度で傾いていたとしても、室内スペースの水平状態を保つことにより、中に避難した避難者が通常の姿勢を保つことができるようにすることにある。
【００１０】
また本発明の他の目的は、室内スペース内の安全性を高めると共に、例えば水上で激しい波に打たれた場合でも室内スペースの揺れを緩和でき、単純な左右方向だけの揺れだけでなく、あらゆる方向からの揺れに対応できるようにすることにある。
【００１１】
更に本発明の他の目的は、室内スペースから避難者が安全に装置外へ脱出することができるようにすることにある。
その他の本発明の目的は以下の説明から明らかになろう。
【課題を解決するための手段】
【００１２】
上記目的を達成するために本発明が講じた手段は次のとおりである。
第１の発明にあっては、
水上浮遊型の災害避難用装置であって、
出入口を有する球形のカプセルと、
該カプセルの周りを囲んで設けてありカプセルとは相対的に自由に動けるように構成してある外殻体と、
を有し、
該外殻体は剛性を有し、カプセルの出入口と対応する所要数の出入口を有しており、
カプセルは底に相当する部分が地球の重力中心に向かうよう構成してあることを特徴とする、
災害避難用装置である。
【００１３】
第２の発明にあっては、
水上浮遊型の災害避難用装置であって、
出入口を備えており剛性を有する外殻体と、
該外殻体内に収容され、外殻体に対し自由方向に回動可能な球形のカプセルと、
を備えており、
該カプセルは、水密性が保たれた室内スペースと、該室内スペースを本質的に水平状態に保つためのバランス体と、上記出入口と通じると共にカプセルの外から室内スペースへ出入りするための水密に閉塞可能な内部出入口とを有していることを特徴とする、
災害避難用装置である。  
【００１４】
第３の発明にあっては、
水上浮遊型の災害避難用装置であって、
出入口を備えており剛性を有する外殻体と、
該外殻体内に収容され、外殻体に対し自由方向に回動可能な中核体と、
該中核体内に収容され、中核体に対し自由方向に回動可能な球形のカプセルと、
を備えており、
該カプセルは、水密性が保たれた室内スペースと、該室内スペースを本質的に水平状態に保つためのバランス体と、カプセルの外から室内スペースへ出入りするための水密に閉塞可能な内部出入口とを有し、
上記中核体は、上記出入口及び内部出入口と通じる中部出入口を有していることを特徴とする、
災害避難用装置である。
【００１５】
第４の発明にあっては、
内部出入口と中部出入口を合わせるために、カプセルまたは／及び中殻体を回動させる回動手段を有していることを特徴とする、
第３の発明に係る災害避難用装置である。  
【００１６】
第５の発明にあっては、
外殻体は出入口を周面全体にわたって複数有していることを特徴とする、
第１，２，３または第４の発明に係る災害避難用装置である。  
【００１７】
第６の発明にあっては、
外殻体は外部から受ける衝撃を和らげる緩衝手段を有していることを特徴とする、
第１，２，３，４または第５の発明に係る災害避難用装置である。  
【００１８】
第７の発明にあっては、
外殻体は正五角形の枠体と正六角形の枠体が複数結合されることで形成され、該枠体で囲まれた空間箇所が出入口を構成していることを特徴とする、
第１，２，３，４，５または第６の発明に係る災害避難用装置である。
【００１９】
本明細書にいう「カプセルまたは／及び中殻体を回動させる」には、カプセルまたは中殻体のいずれか一方を回動させる場合もあるし、あるいはカプセル及び中殻体の両方を回動させる場合も含んでいる。
【００２０】
（作  用）
本発明に係る災害避難用装置は例えば次のように作用する。
例えば地震が起きた場合は、直ちに外殻体の出入口からカプセルの内部出入口を通って室内スペース内に避難し、津波の来襲に備える。災害がおさまった後は、逆にカプセルの内部出入口から外殻体の出入口を通って外へ脱出する。
【００２１】
外殻体に対し自由方向に回動可能な中殻体を備えているものでは、外殻体の出入口から中殻体の中部出入口を通り、更にカプセルの内部出入口を通って室内スペース内に避難する。災害がおさまった後は、逆にカプセルの内部出入口から中殻体の中部出入口を通り、更に外殻体の出入口を抜けて外へ脱出する。
【００２２】
津波が襲ってきた場合は、その波によって押し流されるような状況となるが、災害避難用装置は水上浮遊型であるため、水没することなく、水上へ安全に避難できる。また、室内スペースは水密性が保たれているため、水が室内スペースに侵入することはない。
【００２３】
例えば津波に流された後に海岸の岩場等に打ち上げられたような場合に、災害避難用装置が岩等に接触した状態で傾いたとしても、岩等で固定された外殻体に対し、室内スペースを有するカプセルは自由方向に回動し、更にバランス体によって室内スペースは本質的に水平状態に保たれる。よって、中へ避難した避難者は常に通常の姿勢を保つことができる。
【００２４】
中殻体を備えているものでは、カプセルに対する外部から衝撃を中殻体が緩和する。また、例えば水上で激しい波に打たれた場合でも、波が直接的にカプセルに当たることを中殻体が防止する。更にカプセルは中殻体に対し、自由方向に回動可能する。よって、単純な左右方向だけの揺れだけでなく、あらゆる方向からの揺れに対応できる。
【００２５】
外殻体に対しカプセルが自由方向に回動することにより、内部出入口の位置は変動する。よって、外殻体が出入口を周面全体にわたって複数有しているものは、内部出入口がどの位置にきても外殻体の出入口と合いやすい。このことは、中殻体を備えているものについても同様である。
【００２６】
障害物に接触したり、物が挟まるなど何らかの原因で内部出入口と中部出入口が合っていない場合は、回動手段によりカプセルまたは／及び中殻体を回動させその位置を合わせる。これにより、避難者は安全に装置外へ脱出することができる。なお、内部出入口と中部出入口を合わせる際に、回動手段によってカプセル側を回動させても良く、または中殻体側を回動させても良く、あるいはカプセルと中殻体の両方とも回動させることが可能な構造としても良い。
【００２７】
外殻体が外部から受ける衝撃を和らげる緩衝手段を有しているものは、外殻体が外部から衝撃を受けた場合でも緩衝手段が衝撃を和らげる。
【００２８】
外殻体が正五角形の枠構造体と正六角形の枠構造体が複数結合されることで形成されているものは、同程度の大きさの出入口を周面全体にわたって均等に設けることができる。
【発明の効果】
【００２９】
本発明は上記構成を備え、次の効果を有する。
（ａ）本発明によれば、外側の外殻体が障害物に接触する等により災害避難用装置がどのような角度で傾いていたとしても、中のカプセル（室内スペース）は本質的に水平状態に保たれるので、中に避難した避難者が常に通常の姿勢を保つことができる。
【００３０】
（ｂ）外殻体内に収容され、外殻体に対し自由方向に回動可能な中殻体を備えているものは、カプセルと外殻体の間に中殻体を有する構造となっている。これにより、カプセルに対する外部から衝撃が中殻体によって緩和されるので、室内スペース内の安全性を高めることができる。また、例えば水上で激しい波に打たれた場合でも、中殻体によって波は直接的にカプセルに当たることはないので、カプセルは波による揺れの影響を受けにくい。更にカプセルは中殻体に対し、自由方向に回動可能であるので、単純な左右方向だけの揺れだけでなく、あらゆる方向からの揺れに対応できる。
【００３１】
（ｃ）外殻体が出入口を周面全体にわたって複数有しているものは、内部出入口または中部出入口がどの位置にきても外殻体の出入口と合いやすいので、避難者は安全に装置外へ脱出することができる。
【００３２】
（ｄ）内部出入口と中部出入口を合わせるために、カプセルまたは／及び中殻体を回動させる回動手段を有しているものは、障害物に接触したり、物が挟まるなど何らかの原因で内部出入口と中部出入口が合っていない場合でも、回動手段によりその位置を合わせることができる。したがって、避難者は安全に装置外へ脱出することができる。
【００３３】
（ｅ）外殻体が外部から受ける衝撃を和らげる緩衝手段を有しているものは、外部から受けた衝撃を緩衝手段が和らげるので、室内スペース内の安全性を高めることができる。
【００３４】
（ｆ）外殻体は正五角形の枠体と正六角形の枠体が複数結合されることで形成され、該枠体で囲まれた空間箇所が出入口を構成しているものは、同程度の大きさの出入口を周面全体にわたって均等に設けることができる。よって、外殻体の位置によって出入口の大きさに大きなバラツキは生じないので、避難者はどの位置からも脱出しやすい構造となっている。
【発明を実施するための最良の形態】
【００３５】
以下、本発明を実施例により説明するが、本発明はこれらに限定されるものではない。
【００３６】
本発明を図面に示した実施例に基づき更に詳細に説明する。
【実施例１】
【００３７】
図１ないし図３は、本発明に係る災害避難用装置の第一の実施例を示す説明図である。
図１は、災害避難用装置の斜視説明図、
図２は、災害避難用装置を断面して内部構造を表した側面視説明図であり、災害避難用装置内に避難者が避難している状態を示している。
図３は、カプセルを回動可能に支持する転動体を示す部分拡大断面説明図である。
なお、図２では、転動体３１を備えた接合部材３の構造を簡略化して図示している。これについては図４についても同様である。  
【００３８】
符号Ａ１は、水上浮遊型の災害避難用装置Ａ１を示している。災害避難用装置Ａ１は、例えば津波によって家屋と共に押し流されるような状況となっても、水上に浮遊して安全に避難できるように設計されている。
【００３９】
災害避難用装置Ａ１は、棒状の連結部１１により球殻状（球状）に形成された外殻体であるフレーム構造体１と、該フレーム構造体１の内部で自由方向に回動可能な球形のカプセル２とを備えた二重構造となっている。フレーム構造体１の内側には、カプセル２を回動可能に支持する球状（ボール状）の転動体３１が設けてある。カプセル２は、その内部に水密性が保たれた室内スペース２００を有する。転動体３１は、円筒ころ、棒状ころ、針状ころ、球面ころ等を使用することもできる。転動体３１は、金属製材料や硬質プラスチック等の合成樹脂で形成できる。
【００４０】
フレーム構造体１は、棒状の連結部１１を接合部材３を介して連結することで、正五角形と正六角形の枠構造体を構成し、この枠構造体を複数結合すること全体として球殻状に形成されている。連結部１１は、例えばチタン合金やステンレス鋼等の金属材料や硬質プラスチック等で形成されている。詳しくは、フレーム構造体１は、正五角形をした１２個の枠体と、正六角形をした２０個の枠体を結合することで構成された、いわゆる「サッカーボール形状」あるいは「フラーレン構造」と称される構造を有している。
【００４１】
フレーム構造体１は、連結部１１で囲まれた開口部によって、後述するカプセル２の内出入口２０ａ，２０ｂと通じる出入口３０を周面全体にわたって多数有している。つまり、連結部で囲まれた空間箇所は、その全てが出入口となる。
【００４２】
更に上記したように、フレーム構造体１が正五角形の枠体と正六角形の枠体が複数結合されることで形成されているので、同程度の大きさの出入口３０を周面全体にわたって均等に設けることができる。よって、フレーム構造体１の位置によって出入口３０の大きさに大きなバラツキは生じないので、避難者はどの位置からも脱出しやすい構造となっている。なお、出入口３０の形状は、正五角形や正六角形等以外の円形状や楕円形状、長方形状や正方形状としても良い。
【００４３】
連結部１１と連結部１１の接合部分に設けられた接合部材３（図３参照）は、上記した転動体３１を備えている。接合部材３は、転動体３１がフレーム構造体１の内方（カプセルの外面側）に向くように配置され、転動体３１がカプセル２の外周面に当接している。
【００４４】
図３に示すように、接合部材３は、転動体３１を進退可能に収容する収容部３２を備えたカップ状の収容体３３を備えている。転動体３１は、一部が先端側に表れた状態で軸受部３４内に回動可能に収容されている。軸受部３４は、収容体３３内部に設けてある付勢手段である付勢スプリング３５（弾性体である圧縮コイルバネ）によってカプセル２の表面に当接する方向に付勢されており、収容体３３の先端側の掛止部３３１によって収容体３３から抜け出ないようになっている。軸受部３４の底面部中央には、付勢スプリング３５の孔内に挿設する棒状の挿設部３４１が設けてある。
【００４５】
なお、本実施例では、転動体３１と付勢スプリングを備えた支持機構を連結部１１と連結部１１の接合部分に設けているが、特にこれに限定するものではなく、接合部分の隣や連結部１１の中間部分等に設けることもできる。
【００４６】
収容体３３の先部側（収容部３２の開口部と反対側、フレーム構造体１の外面側）は、全体的に丸みを帯びながら先端部に向けてやや尖った形状となっている。そして、図２に示すように、収容体３３が地面と接地した際には、同じ正五角形や正六角形を形成する他の接合部材３の収容体３３と共にやや丸みを帯びた部分が地面に当接し、フレーム構造体１を少しの揺れでは転がらないように支持する。
【００４７】
カプセル２は、耐熱性及び水密性等に優れたチタン合金等の金属製素材によって形成されている。カプセル２は、所要の位置に設けられた開閉扉４ａ，４ｂによって水密に閉塞可能な内出入口２０ａ，２０ｂを有している。本実施例では、内出入口２０ａ，２０ｂは室内スペース２００の天井部と斜め上方に二箇所に設けてあるが、その位置や設置数は特に限定されない。
【００４８】
開閉扉４ａ，４ｂはフレーム構造体１に接触しないように、ヒンジ４１を軸として内側（室内スペース２００側）へ開くように構成されている。開閉扉４ａ，４ｂを閉じると自動的にロックがかかるようになっている。なお、後述するフレーム構造体１の連結部１１で囲まれた開口部で構成される出入口３０よりも開閉扉４ａ，４ｂの大きさが小さい等、フレーム構造体１が開閉扉４ａ，４ｂの開閉の妨げとならないのであれば、外側（フレーム構造体１側）に開くタイプの開閉扉を採用することもできる。
【００４９】
符号２０１は、ガラスや透明または半透明の合成樹脂等によって形成された耐圧性及び耐水性を有する窓部を示している。図１に示す符号２０２は、各開閉扉４ａ，４ｂを開閉する際に操作する把手部を示している。把手部は開閉扉４ａ，４ｂの内側にも設けてある。
【００５０】
室内スペース２００の底部側には、バランス体であるバランス用の錘２２が設けてある。このバランス用の錘２２により、フレーム構造体１に対してカプセル２の水平状態が保たれるので、室内スペース２００内に入った避難者は通常の姿勢を保つことができる。
【００５１】
室内スペース２００内には、中央に立設された円形状の掴まり部２３の周りを囲むように、座席２４が周方向に連続的して配置されている。座席２４には所要数のシートベルト２４２が取り付けてある。座席２４は、クッション性を有する背もたれ部２４１を備えている。背もたれ部２４１は、カプセル２の内面部を沿うように天井側に向けて広く設けられている。これにより、外部から受ける衝撃や揺れによって、座席２４に座った避難者が頭部を壁面に打ち付けることを防止している。
【００５２】
座席２４の下には、飲料用の水タンク２５や酸素ボンベ２６等が収容されている。図示しているように、水タンク２５から掴まり部２３の上部まで吸水用のパイプ２５１を通すことにより、いつでも水を飲めるような構造とすることもできる。また室内スペース２００には、その他、食料、ヘルメット、消臭固化剤を有する簡易トイレ、救急薬、簡易式のテレビ、ラジオ等の様々な各種の避難装備を収容することが好ましい。
【００５３】
更には室内スペース２００内に、照明装置、換気装置、ＧＰＳ（Global Positioning System）等の位置確認システム、発電機や充電池等を設けることもできる。また災害避難用装置Ａ１の外部側には、救助者へ合図を送るための点灯ランプ等の報知手段等を設けることもできるし、太陽電池パネル等を設けることもできる。
【００５４】
（作  用）
図２を参照して、災害避難用装置Ａ１の作用を説明する。
災害避難用装置Ａ１は直ぐに避難できるような場所、例えば自宅の庭先や可能であれば屋内、あるいはベランダやバルコニー等に設置しておくことが好ましい。
【００５５】
そして、図２に示すように、例えば地震が起きた場合は、直ちに側方の内出入口２０ｂから災害避難用装置Ａ１の室内スペース２００に乗り込む。なお、災害避難用装置Ａ１の設置場所によっては、天井部側の内出入口２０ａから乗り込むようにしても良い。本実施例のように、内出入口４ｂをやや高い位置に設けた場合は、内出入口４ｂに入る際にぶら下がり用の掴まり棒６１を備えた踏み台６などを利用することができる。
【００５６】
開閉扉４ｂを閉めて座席２４に座り、シートベルト２４２を締め、津波の来襲に備える。万一、津波が襲ってきた場合は、その波によって押し流されるような状況となるが、災害避難用装置Ａ１は水上に浮遊する構造となっているため、水没することなく、水上へ安全に避難できる。
【００５７】
更に災害避難用装置Ａ１は球状に形成され、フレーム構造体１の外部には余計な突起物等が設けられていないため、倒壊した家屋などの障害物等に引っ掛かりにくく、水面浮上時の障害になりにくい。
【００５８】
また、図３に示す接合部材３の転動体３１は、付勢スプリング３５によって付勢されることでカプセル２に対して進退可能となっている。これにより、外部から多少の衝撃を受けた場合でも、転動体３１に対して両側の連結部１１，１１が内側に移動するので、外部からカプセル２に対する衝撃を緩和することができる。
【００５９】
なお、連結部１１を柔軟性または可撓性を有する素材で形成することにより、外部から受けた衝撃を連結部１１が変形して吸収するように構成することもできる。
【００６０】
更に、室内スペース２００を備えたカプセル２は、フレーム構造体１の内部で自由方向に回動可能となっている。そして、バランス用の錘２２により、フレーム構造体１に対してカプセル２の水平状態が保たれるようになっている。したがって、例えば津波に流された後に海岸の岩場等に打ち上げられたような場合に、フレーム構造体１が上下逆に傾いたとしても、避難者は通常の姿勢を保つことができる。
【００６１】
また上記したように、フレーム構造体１は、カプセル２の内出入口２０ａ，２０ｂと通じる出入口３０を周面全体にわたり多数有している。しかも、バランス用の錘２２によってカプセル２の出入口２０ａは絶えず上方側を向き、地面側に向くようなことはない。よって、内出入口２０ａ，２０ｂが地面によって塞がり、脱出ができないというようなことはない。
【００６２】
万一、外部からの障害物（倒壊した樹木や家屋の瓦礫等）が引っ掛かる等により、一方の出入口４ｂが地面に向いた状態でカプセル２が動かなくなったとしても、他方の出入口４ａから脱出することができる。また、開閉扉４ａ，４ｂを二箇所だけではなく、三箇所以上設けることもでできる。
【００６３】
更に、万一、開閉扉４ａ，４ｂを内側に開けた際にカプセル２の出入口２１の前に、フレーム構造体１の連結部１１が張り出しているような状況であっても、開閉扉４ｂを開けて手を伸ばし、人が通るような位置までカプセル２を手動で回動すれば良い。あるいは、接合部材３間にある連結部１１を取り外し可能に構成し、脱出時に邪魔になるような連結部１１を取り外すようにしても良い。
【実施例２】
【００６４】
図４ないし図７は、本発明に係る災害避難用装置の第二の実施例を示す説明図である。
図４は、災害避難用装置を断面して内部構造を表した側面視説明図であり、災害避難用装置内に避難者が避難している状態を示している。
図５は、中殻体及びカプセルを回動可能に支持する転動体を示す部分拡大断面説明図である。
【００６５】
なお、第１の実施例で示した作用のうち同様のものは説明を省略する。また、第１の実施例で示してある箇所と同等箇所については、説明を省略し、主に相異点を説明する。
【００６６】
図４及び図５に示すように、本実施例に係る災害避難用装置Ａ２は、カプセル２とフレーム構造体１の間に、カプセル２及びフレーム構造体１に対して自由方向に回動可能であり、水密性が保たれた球形の中殻体７を設けた三重構造となっている。中殻体７の内側には、カプセル２を回動可能に支持する転動体７２が所要数全体にわたって設けてある。なお、転動体７２を実施例１に示した転動体３１と同様に、付勢スプリング３５によって進退可能な構造とすることもできる。
【００６７】
中殻体７は、カプセル２と同様、耐熱性及び水密性等に優れたチタン合金等の金属製素材によって形成されている。中殻体７の底部側には、バランス用の錘７１が設けてある。中殻体７は、上記カプセル２の出入口２１と通じる中部出入口７０ａ，７０ｂを有している。中部出入口７０ａ，７０ｂは、内側に開閉する開閉扉８ａ，８ｂによって水密に閉塞可能である。中部出入口７０ａ，７０ｂは、室内スペース２００の天井側に相当する位置と、斜め上方位置の二箇所に設けてある。
【００６８】
上記したバランス用の錘２２により、カプセル２に対して中殻体７の水平状態が保たれ、カプセル２及び中殻体７の天井側の中部出入口７０ａは常に合うように構成されている。ただし、斜め上方に位置する出入口７０ｂは、カプセル２の回動によって、カプセル２の出入口２１と常時合っているとは限らない。そこで、本実施例では脱出時の安全性を向上させるため、中殻体７及びカプセル２の側方の各出入口７０ｂを合わせることができる回動装置９（下記図６参照）を設けた。
【００６９】
図６は、中殻体及びカプセルの各出入口を合わせることができる回動装置を説明するための平面視断面説明図である。
回動装置９は、カプセル２に突出可能に設けられたピニオン部材９１と、中殻体７の内面側に上記ピニオン部材９１のピニオン９１１とかみ合うラック部９２とを有する。そうして、室内スペース２００内からピニオン部材９１を操作することで、中殻体７を回動し、中殻体７とカプセル２の各出入口２０ｂ，７０ｂを合わせることができる。
【００７０】
以下、回動装置９について詳しく説明する。
ラック部９２は、中殻体７の内面部のほぼ赤道上に内周面に沿って連続して設けてある。ピニオン部材９１は、不要時にはカプセル２の外面から内側に窪ませて設けられた収容部２７に収容可能となっている。収容部２７奥の開口部（符号省略）には、ピニオン部材９１の摺動基体９１２が摺動しながら進退可能に挿設されている。摺動基体９１２の先端側にピニオン９１１が回動可能に取り付けてある。符号９１３，９１４は摺動基体９１２に鍔状に設けられたストッパーを示している。
【００７１】
室内スペース２００側から出た摺動基体９１２の基端部には、操作ハンドル９１５が設けてある。操作ハンドル９１５を回すことにより、ピニオン９１１が回転するようになっている。
【００７２】
更に、摺動基体９１２の基端側寄りには、円形の回動ハンドル９１６が取り付けてある。回動ハンドル９１６を前後に移動させることにより、ピニオン部材９１を収容部２７から進退させることができる。また、回動ハンドル９１６を周方向に回すことにより、ピニオン９１１の傾斜角度を調整することができる。これにより、ピニオン９１１がラック部９２の溝部と正確に噛み合うように調整できる。
【００７３】
更に、本実施例ではラック部９２は赤道上に一周設けているが、上記したようにピニオン９１１の傾斜角度は変えることができるので、ラック部９２を中殻体７の内面部全体に所要の傾斜角度で多数設けることもできる。このようにすれば、仮に中殻体７が外部からの障害物等に引っ掛かってバランス用の錘７１（図４参照）による水平状態を保てない場合でも、ラック部９２が中殻体７の内面部全体に設けてあるので、ピニオン部材９１とラックが噛み合わないという不都合を防止できる。
【００７４】
図７は、カプセルをフレーム構造体に対して回転しないように固定している状態を示す部分拡大断面説明図である。
図７に示すように、脱出時にカプセル２がフレーム構造体１に対して回動しないように、カプセル２とフレーム構造体１とを固定ベルト２８，２８で固定することもできる。本実施例では、固定ベルト２８がカプセル２の内出入口２０ａ，２０ｂ（側方側の固定ベルトは図示省略）付近に設けてある。そして、各開閉扉４ａ，８ａ等を開いた状態で、固定ベルト８の一端部をフレーム構造体１の連結部１１に回し掛けして締め付け、固定している。
【００７５】
（作  用）
図４ないし図７を参照して、災害避難用装置Ａ２の作用を説明する。なお、第１の実施例で示した作用のうち同様のものは説明を省略する。
本実施例に係る災害避難用装置Ａ２では、カプセル２とフレーム構造体１の間に中殻体７を有する三重構造となっている。これにより、カプセル２に対する外部から衝撃がフレーム構造体１によって緩和されるので、室内スペース内の安全性を高めることができる。
【００７６】
また、水面上に浮遊しているときに激しい波を受けても、波は室内スペース２００を有するカプセル２ではなく中殻体７にぶつかるので、波による揺れの影響を受けにくく、避難者は通常の姿勢を保ちやすい。またカプセル２は中殻体７に対し、自由方向に回動可能であるので、単純な左右方向だけの揺れだけでなく、あらゆる方向からの揺れに対応できる。
【００７７】
更に上記したように、中殻体７の底部にはバランス用の錘７１が設けてあり、カプセル２及び中殻体７の天井側の出入口２０ａ，７０ａは常に合うように構成されている。また回動装置９により、斜め上部方向の出入口２０ｂ，７０ｂも合わせることができるように構成されている。このように、強度を向上させるため三重構造を採用した本実施例であっても、脱出時の出入口は十分に確保されている。
【００７８】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００７９】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００８０】
【図１】本発明に係る災害避難用装置の第一の実施例を示す斜視説明図。
【図２】災害避難用装置を断面して内部構造を表した側面視説明図であり、災害避難用装置内に避難者が避難している状態を示している。
【図３】カプセルを回動可能に支持する転動体を示す部分拡大断面説明図。
【図４】本発明に係る災害避難用装置の第二の実施例を示し、災害避難用装置を断面して内部構造を表した側面視説明図であり、災害避難用装置内に避難者が避難している状態を示している。
【図５】中殻体及びカプセルを回動可能に支持する転動体を示す部分拡大断面説明図。
【図６】中殻体及びカプセルの各出入口を合わせることができる回動装置を説明するための平面視断面説明図。
【図７】カプセルをフレーム構造体に対して回転しないように固定している状態を示す部分拡大断面説明図。
【符号の説明】
【００８１】
Ａ１，Ａ２ 災害避難用装置
１ フレーム構造体
１１ 連結部
２ カプセル
２００ 室内スペース
２０１ 窓部
２０２  把手部
２０ａ，２０ｂ 内出入口
２２ バランス用の錘
２３ 掴まり部
２４ 座席
２４１ 背もたれ部
２４２ シートベルト
２５ 水タンク
２５１ パイプ
２６ 酸素ボンベ
２７ 収容部
２８ 固定ベルト
３ 接合部材
３０ 出入口
３１ 転動体
３２ 収容部
３３ 収容体
３３１ 掛止部
３４ 軸受部
３４１ 挿設部
３５ 付勢スプリング
４ａ，４ｂ 開閉扉
４１ ヒンジ
６ 踏み台
６１ 掴まり棒
７ 中殻体
７０ａ，７０ｂ  中部出入口
７１ バランス用の錘
７２ 転動体
８ 固定ベルト
８ａ，８ｂ 開閉扉
９ 回動装置
９１ ピニオン部材
９１１ ピニオン
９１２ 摺動基体
９１３，９１４ ストッパー
９１５ 操作ハンドル
９１６ 回動ハンドル
９２ ラック部
【図１】
2006158874.tif 000003
【図２】
2006158874.tif 000004
【図３】
2006158874.tif 000005
【図４】
2006158874.tif 000006
【図５】
2006158874.tif 000007
【図６】
2006158874.tif 000008
【図７】
2006158874.tif 000009
【手続補正書】
【提出日】平成17年4月22日(2005.4.22)
【手続補正１】
【補正対象書類名】特許請求の範囲
【補正対象項目名】全文
【補正方法】変更
【補正の内容】
【特許請求の範囲】
【請求項１】
水上浮遊型の津波または大水災害避難用装置であって、
出入口(20a,20b)を有する球形のカプセル(2)と、
該カプセル(2)の周りを囲んで設けてありカプセル(2)に対し自由な方向に回転するように構成してある外殻体(1)と、
を備え、
上記カプセル(2)は底に相当する部分が地球の重力中心に向かうよう構成してあり、
上記外殻体(1)は剛性を有し、上記カプセル(2)の出入口(20a,20b)と対応する出入口(30)が外殻体(1)の周りに複数設けてあることを特徴とする、      
津波または大水災害避難用装置。
【請求項２】
水上浮遊型の津波または大水災害避難用装置であって、
出入口(20a,20b)を有する球形のカプセル(2)と、
該カプセル(2)の周りを囲んで設けてありカプセル(2)に対し自由な方向に回転するように構成してある外殻体(1)と、
を備え、
上記カプセル(2)は底に相当する部分が地球の重力中心に向かうよう構成してあり、
上記外殻体(1)は、剛性を有するフレーム構造体を全体として球殻状に構成する棒状体(11)を備え、該棒状体(11)で囲まれた空間箇所により上記カプセル(2)の出入口(20a,20b)と対応する出入口(30)が外殻体(1)の周りに複数設けてあることを特徴とする、      
津波または大水災害避難用装置。
【請求項３】
カプセル(2)と外殻体(1)の間には球形の中殻体(7)が設けてあり、
該中殻体(7)は、上記カプセル(2)の出入口(20a,20b)及び上記外殻体(1)の出入口(30)と対応する出入口(70a,70b)を有していることを特徴とする、
請求項１または２記載の津波または大水災害避難用装置。
【請求項４】
外殻体(1)は、カプセル(2)の外周面に当接する転動体(31)を外殻体(1)の周りに複数有し、該転動体(31)と連結体(11)の間にはカプセル(2)に当接する方向に転動体(31)を付勢する付勢手段(35)が設けてあり、該付勢手段(35)は外殻体(1)が外部から受ける衝撃を和らげる緩衝手段を構成していることを特徴とする、
請求項１または２記載の津波または大水災害避難用装置。
【請求項５】
外殻体(1)は、中殻体(7)の外周面に当接する転動体(31)を外殻体(1)の周りに複数有し、該転動体(31)と連結体(11)の間には中殻体(7)に当接する方向に転動体(31)を付勢する付勢手段(35)が設けてあり、該付勢手段(35)は外殻体(1)が外部から受ける衝撃を和らげる緩衝手段を構成していることを特徴とする、
請求項３記載の津波または大水災害避難用装置。
【請求項６】
カプセル(2)の出入口(20a,20b)と中殻体(7)の出入口(70a,70b)を合わせるために、カプセル(2)または／及び中殻体(7)を回動させる回動手段(9)を有していることを特徴とする、
請求項３または５記載の津波または大水災害避難用装置。
【請求項７】
少しの揺れで転がらないように構成されていることを特徴とする、
請求項１，２，３，４，５または６記載の津波または大水災害避難用装置。
【請求項８】
外殻体(1)は正五角形の枠体と正六角形の枠体が複数結合されることで形成され、該枠
体で囲まれた空間箇所が出入口(30)を構成していることを特徴とする、
請求項１，２，３，４，５，６または７記載の津波または大水災害避難用装置。
【手続補正３】
【補正対象書類名】明細書
【補正対象項目名】００１２
【補正方法】変更
【補正の内容】
【００１２】
上記目的を達成するために本発明が講じた手段は次のとおりである。
第１の発明にあっては、
水上浮遊型の津波または大水災害避難用装置であって、
出入口を有する球形のカプセルと、
該カプセルの周りを囲んで設けてありカプセルに対し自由な方向に回転するように構成してある外殻体と、
を備え、
上記カプセルは底に相当する部分が地球の重力中心に向かうよう構成してあり、
上記外殻体は剛性を有し、上記カプセルの出入口と対応する出入口が外殻体の周りに複数設けてあることを特徴とする、      
津波または大水災害避難用装置である。
【手続補正４】
【補正対象書類名】明細書
【補正対象項目名】００１３
【補正方法】変更
【補正の内容】
【００１３】
第２の発明にあっては、
水上浮遊型の津波または大水災害避難用装置であって、
出入口を有する球形のカプセルと、
該カプセルの周りを囲んで設けてありカプセルに対し自由な方向に回転するように構成してある外殻体と、
を備え、
上記カプセルは底に相当する部分が地球の重力中心に向かうよう構成してあり、
上記外殻体は剛性を有するフレーム構造体で構成され、該フレーム構造体を全体として球殻状に構成する棒状体を備え、該棒状体で囲まれた空間箇所により上記カプセルの出入口と対応する出入口が外殻体の周りに複数設けてあることを特徴とする、      
津波または大水災害避難用装置である。
【手続補正５】
【補正対象書類名】明細書
【補正対象項目名】００１４
【補正方法】変更
【補正の内容】
【００１４】
第３の発明にあっては、  
カプセルと外殻体の間には球形の中殻体が設けてあり、
該中殻体は、上記カプセルの出入口及び上記外殻体の出入口と対応する出入口を有していることを特徴とする、
第１または第２の発明に係る津波または大水災害避難用装置である。
【手続補正６】
【補正対象書類名】明細書
【補正対象項目名】００１５
【補正方法】変更
【補正の内容】
【００１５】
第４の発明にあっては、
外殻体は、カプセルの外周面に当接する転動体を外殻体の周りに複数有し、該転動体と連結体の間にはカプセルに当接する方向に転動体を付勢する付勢手段が設けてあり、該付勢手段は外殻体が外部から受ける衝撃を和らげる緩衝手段を構成していることを特徴とする、
第１または第２の発明に係る津波または大水災害避難用装置である。
【手続補正７】
【補正対象書類名】明細書
【補正対象項目名】００１６
【補正方法】変更
【補正の内容】
【００１６】
第５の発明にあっては、
外殻体は、中殻体の外周面に当接する転動体を外殻体の周りに複数有し、該転動体と連結体の間には中殻体に当接する方向に転動体を付勢する付勢手段が設けてあり、該付勢手段は外殻体が外部から受ける衝撃を和らげる緩衝手段を構成していることを特徴とする、
第３の発明に係る津波または大水災害避難用装置である。
【手続補正８】
【補正対象書類名】明細書
【補正対象項目名】００１７
【補正方法】変更
【補正の内容】
【００１７】
第６の発明にあっては、
カプセルの出入口と中殻体の出入口を合わせるために、カプセルまたは／及び中殻体を回動させる回動手段を有していることを特徴とする、
第３または第５の発明に係る津波または大水災害避難用装置である。
【手続補正９】
【補正対象書類名】明細書
【補正対象項目名】００１８
【補正方法】変更
【補正の内容】
【００１８】
第７の発明にあっては、
少しの揺れで転がらないように構成されていることを特徴とする、
第１，２，３，４，５または第６の発明に係る津波または大水災害避難用装置である。
【手続補正１０】
【補正対象書類名】明細書
【補正対象項目名】００１９
【補正方法】変更
【補正の内容】
【００１９】
第８の発明にあっては、
外殻体は正五角形の枠体と正六角形の枠体が複数結合されることで形成され、該枠
体で囲まれた空間箇所が出入口を構成していることを特徴とする、
第１，２，３，４，５，６または第７の発明に係る津波または大水災害避難用装置である。
本明細書にいう「カプセルまたは／及び中殻体を回動させる」には、カプセルまたは中殻体のいずれか一方を回動させる場合もあるし、あるいはカプセル及び中殻体の両方を回動させる場合も含んでいる。
【手続補正１１】
【補正対象書類名】明細書
【補正対象項目名】００４１
【補正方法】変更
【補正の内容】
【００４１】
フレーム構造体１は、連結部１１で囲まれた開口部によって、後述するカプセル２の内出入口２０ａ，２０ｂと通じる出入口３０を周面全体にわたって多数有している。つまり、連結部１１で囲まれた空間箇所は、その全てが出入口となる。
【手続補正１２】
【補正対象書類名】明細書
【補正対象項目名】００６３
【補正方法】変更
【補正の内容】
【００６３】
更に、万一、開閉扉４ａ，４ｂを内側に開けた際にカプセル２の出入口２０ａ，２０ｂの前に、フレーム構造体１の連結部１１が張り出しているような状況であっても、開閉扉４ｂを開けて手を伸ばし、人が通るような位置までカプセル２を手動で回動すれば良い。あるいは、接合部材３間にある連結部１１を取り外し可能に構成し、脱出時に邪魔になるような連結部１１を取り外すようにしても良い。
【手続補正１３】
【補正対象書類名】明細書
【補正対象項目名】００６７
【補正方法】変更
【補正の内容】
【００６７】
中殻体７は、カプセル２と同様、耐熱性及び水密性等に優れたチタン合金等の金属製素材によって形成されている。中殻体７の底部側には、バランス用の錘７１が設けてある。中殻体７は、上記カプセル２の出入口２０ａ，２０ｂと通じる中部出入口７０ａ，７０ｂを有している。中部出入口７０ａ，７０ｂは、内側に開閉する開閉扉８ａ，８ｂによって水密に閉塞可能である。中部出入口７０ａ，７０ｂは、室内スペース２００の天井側に相当する位置と、斜め上方位置の二箇所に設けてある。
【手続補正１４】
【補正対象書類名】明細書
【補正対象項目名】００６８
【補正方法】変更
【補正の内容】
【００６８】
上記したバランス用の錘７１により、カプセル２に対して中殻体７の水平状態が保たれ、カプセル２及び中殻体７の天井側の中部出入口７０ａは常に合うように構成されている。ただし、斜め上方に位置する出入口７０ｂは、カプセル２の回動によって、カプセル２の出入口２０ａ，２０ｂと常時合っているとは限らない。そこで、本実施例では脱出時の安全性を向上させるため、中殻体７及びカプセル２の側方の各出入口２０ｂ，７０ｂを合わせることができる回動装置９（下記図６参照）を設けた。
【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
水上浮遊型の津波または大水災害避難用装置であって、
出入口(20a,20b)を有する球形のカプセル(2)と、
該カプセル(2)の周りを囲んで設けてありカプセル(2)に対し全ての方向に回転するように構成してある外殻体(1)と、
を備え、
上記カプセル(2)は底に相当する部分が地球の重力中心に向かうよう構成してあり、
上記外殻体(1)は、剛性を有するフレーム構造体を全体として球殻状に構成する棒状体(11)を備え、該棒状体(11)で囲まれた空間箇所により上記カプセル(2)の出入口(20a,20b)と対応する出入口(30)が外殻体(1)の周りに複数設けてあることを特徴とする、      
津波または大水災害避難用装置。
【請求項２】
カプセル(2)と外殻体(1)の間には球形の中殻体(7)が設けてあり、
該中殻体(7)は、上記カプセル(2)の出入口(20a,20b)及び上記外殻体(1)の出入口(30)と対応する出入口(70a,70b)を有していることを特徴とする、
請求項１記載の津波または大水災害避難用装置。
【請求項３】
外殻体(1)は、カプセル(2)の外周面に当接する転動体(31)を外殻体(1)の周りに複数有し、該転動体(31)と棒状体(11)の間にはカプセル(2)に当接する方向に転動体(31)を付勢する付勢手段(35)が設けてあり、該付勢手段(35)は外殻体(1)が外部から受ける衝撃を和らげる緩衝手段を構成していることを特徴とする、
請求項１記載の津波または大水災害避難用装置。
【請求項４】
外殻体(1)は、中殻体(7)の外周面に当接する転動体(31)を外殻体(1)の周りに複数有し、該転動体(31)と棒状体(11)の間には中殻体(7)に当接する方向に転動体(31)を付勢する付勢手段(35)が設けてあり、該付勢手段(35)は外殻体(1)が外部から受ける衝撃を和らげる緩衝手段を構成していることを特徴とする、
請求項２記載の津波または大水災害避難用装置。
【請求項５】
カプセル(2)の出入口(20a,20b)と中殻体(7)の出入口(70a,70b)を合わせるために、カプセル(2)または／及び中殻体(7)を回動させる回動手段(9)を有していることを特徴とする、
請求項２または４記載の津波または大水災害避難用装置。
【請求項６】
外殻体(1)は正五角形の枠体と正六角形の枠体が複数結合されることで形成され、該枠体で囲まれた空間箇所が出入口(30)を構成していることを特徴とする、
請求項１ないし５のいずれかに記載の津波または大水災害避難用装置。
【手続補正２】
【補正対象書類名】明細書
【補正対象項目名】全文
【補正方法】変更
【補正の内容】
【発明の詳細な説明】
【技術分野】
【０００１】
本発明は津波または大水災害避難用装置に関する。
更に詳しくは、中に避難することによって例えば津波や大水から避難者を守ることができる水上浮遊型の津波または大水災害避難用装置において、災害避難用装置がどのような角度で傾いたとしても、室内スペースの水平状態を保つことにより、中に避難した避難者が通常の姿勢を保つことができるようにしたものに関する。
【背景技術】
【０００２】
世界有数の地震国であり、四方を海に囲まれた我が国は、昔から数々の地震による津波災害に見舞われてきた。例えば１９９３年に起きた北海道南西沖地震による奥尻島の津波災害が記憶に新しいところであり、これによって一瞬にして数百棟の家屋と２００名以上の尊い人命が失われるに至った。
【０００３】
地震発生時に重要なことは、津波が襲ってくる前にいち早く高台等に避難することである。しかし、避難できる高台等がない沿岸地域では、沿岸に立つビルやマンションを一時的な避難場所にするしかない。
【０００４】
そこで、本願発明者は、避難できる高台等がないような地理的条件下であっても、中に避難することによって避難者を危険から守ることができる災害避難用装置の開発に着手した。
即ち、高台等に逃げることができない場合には、津波によって家屋と共に押し流されるような事態となるが、災害避難用装置を水上に浮遊するできるような構造とすれば、津波に押し流されても水没することなく安全に避難することが可能であると考え、本発明者は水上浮遊型の災害避難装置の開発に取り組んだ。
【０００５】
ところで、特許文献１には、津波や大水があった場合に使用する浮遊船について開示されている。これによれば、「浮遊船は水密と成り浮遊船内に水が侵入することがない。しかも、浮遊船が波でローリングしたとしても、収容室は浮遊船に対し揺動自在であるため、そのローリングに伴って揺れることがない。このため収容室に入っている者は支持棒に掴まっていれば通常の姿勢を保ち得る。」といった技術的事項が開示されている。
【特許文献１】特開平８−２７６８９４号公報
【発明の開示】
【発明が解決しようとする課題】
【０００６】
しかしながら、特許文献１に記載のものは次のような課題があった。
(1) 「船体の略中央を通る支持棒を設けると共に、該支持棒を中心に揺動可能の収容室を設ける。」というような構造を採用しているため、収容室は支持棒を軸中心として周方向に揺動することはできるが、支持棒の軸心方向やその他の角度方向には揺動することはできない。よって、例えば津波に流された後に、支持棒の軸心方向が水平面から傾いた状態で海岸の岩場等に打ち上げられたような場合には、収容部も傾いた状態となり、通常の姿勢を保つことはできない。
【０００７】
(2) また津波の来襲時においては、押し寄せる波による揺れの影響は単純な左右方向だけとは限らず、あらゆる方向からの揺れの影響を受ける。よって、支持棒を軸中心として周方向だけにしか揺動できない特許文献１に記載のものでは、このあらゆる方向からの揺れに対応できない。
【０００８】
(3) 更に、例えば出入口を下に向けた状態で海岸等に打ち上げられたような場合には、出入口が地面によって塞がれるため、船内から脱出すること自体が不可能となる。
【０００９】
（本発明の目的）
そこで本発明の目的は、中に避難することによって例えば津波や大水から避難者を守ることができる水上浮遊型の津波または大水災害避難用装置において、災害避難用装置がどのような角度で傾いていたとしても、室内スペースの水平状態を保つことにより、中に避難した避難者が通常の姿勢を保つことができるようにすることにある。
【００１０】
また本発明の他の目的は、室内スペース内の安全性を高めると共に、例えば水上で激しい波に打たれた場合でも室内スペースの揺れを緩和でき、単純な左右方向だけの揺れだけでなく、あらゆる方向からの揺れに対応できるようにすることにある。
【００１１】
更に本発明の他の目的は、室内スペースから避難者が安全に装置外へ脱出することができるようにすることにある。
その他の本発明の目的は以下の説明から明らかになろう。
【課題を解決するための手段】
【００１２】
上記目的を達成するために本発明が講じた手段は次のとおりである。
本発明は水上浮遊型の津波または大水災害避難用装置であって、
出入口を有する球形のカプセルと、
該カプセルの周りを囲んで設けてありカプセルとは相対的に自由に動けるように構成してある外殻体と、
を有し、
該外殻体は剛性を有し、カプセルの出入口と対応する所要数の出入口を有しており、
カプセルは底に相当する部分が地球の重力中心に向かうよう構成してあることを特徴とするものである。
【００１３】
本発明は水上浮遊型の津波または大水災害避難用装置であって、
出入口を備えており剛性を有する外殻体と、
該外殻体内に収容され、外殻体に対し自由方向に回動可能な球形のカプセルと、
を備えており、
該カプセルは、水密性が保たれた室内スペースと、該室内スペースを本質的に水平状態に保つためのバランス体と、上記出入口と通じると共にカプセルの外から室内スペースへ出入りするための水密に閉塞可能な内部出入口とを有していることを特徴とするものである。
【００１４】
本発明は水上浮遊型の津波または大水災害避難用装置であって、
出入口を備えており剛性を有する外殻体と、
該外殻体内に収容され、外殻体に対し自由方向に回動可能な中核体と、
該中核体内に収容され、中核体に対し自由方向に回動可能な球形のカプセルと、
を備えており、
該カプセルは、水密性が保たれた室内スペースと、該室内スペースを本質的に水平状態に保つためのバランス体と、カプセルの外から室内スペースへ出入りするための水密に閉塞可能な内部出入口とを有し、
上記中核体は、上記出入口及び内部出入口と通じる中部出入口を有していることを特徴とするものである。
【００１５】
本発明に係る津波または大水災害避難用装置は、上記内部出入口と中部出入口を合わせるために、カプセルまたは／及び中殻体を回動させる回動手段を有していることを特徴とするものである。
【００１６】
本発明に係る津波または大水災害避難用装置は、上記外殻体が出入口を周面全体にわたって複数有していることを特徴とするものである。
【００１７】
本発明に係る津波または大水災害避難用装置は、上記外殻体が外部から受ける衝撃を和らげる緩衝手段を有していることを特徴とするものである。
【００１８】
本発明に係る津波または大水災害避難用装置は、上記外殻体が正五角形の枠体と正六角形の枠体が複数結合されることで形成され、該枠体で囲まれた空間箇所が出入口を構成していることを特徴とするものである。
【００１９】
本明細書にいう「カプセルまたは／及び中殻体を回動させる」には、カプセルまたは中殻体のいずれか一方を回動させる場合もあるし、あるいはカプセル及び中殻体の両方を回動させる場合も含んでいる。
【００２０】
（作  用）
本発明に係る災害避難用装置は例えば次のように作用する。
例えば地震が起きた場合は、直ちに外殻体の出入口からカプセルの内部出入口を通って室内スペース内に避難し、津波の来襲に備える。災害がおさまった後は、逆にカプセルの内部出入口から外殻体の出入口を通って外へ脱出する。
【００２１】
外殻体に対し自由方向に回動可能な中殻体を備えているものでは、外殻体の出入口から中殻体の中部出入口を通り、更にカプセルの内部出入口を通って室内スペース内に避難する。災害がおさまった後は、逆にカプセルの内部出入口から中殻体の中部出入口を通り、更に外殻体の出入口を抜けて外へ脱出する。
【００２２】
津波が襲ってきた場合は、その波によって押し流されるような状況となるが、災害避難用装置は水上浮遊型であるため、水没することなく、水上へ安全に避難できる。また、室内スペースは水密性が保たれているため、水が室内スペースに侵入することはない。
【００２３】
例えば津波に流された後に海岸の岩場等に打ち上げられたような場合に、災害避難用装置が岩等に接触した状態で傾いたとしても、岩等で固定された外殻体に対し、室内スペースを有するカプセルは自由方向に回動し、更にバランス体によって室内スペースは本質的に水平状態に保たれる。よって、中へ避難した避難者は常に通常の姿勢を保つことができる。
【００２４】
中殻体を備えているものでは、カプセルに対する外部から衝撃を中殻体が緩和する。また、例えば水上で激しい波に打たれた場合でも、波が直接的にカプセルに当たることを中殻体が防止する。更にカプセルは中殻体に対し、自由方向に回動可能する。よって、単純な左右方向だけの揺れだけでなく、あらゆる方向からの揺れに対応できる。
【００２５】
外殻体に対しカプセルが自由方向に回動することにより、内部出入口の位置は変動する。よって、外殻体が出入口を周面全体にわたって複数有しているものは、内部出入口がどの位置にきても外殻体の出入口と合いやすい。このことは、中殻体を備えているものについても同様である。
【００２６】
障害物に接触したり、物が挟まるなど何らかの原因で内部出入口と中部出入口が合っていない場合は、回動手段によりカプセルまたは／及び中殻体を回動させその位置を合わせる。これにより、避難者は安全に装置外へ脱出することができる。なお、内部出入口と中部出入口を合わせる際に、回動手段によってカプセル側を回動させても良く、または中殻体側を回動させても良く、あるいはカプセルと中殻体の両方とも回動させることが可能な構造としても良い。
【００２７】
外殻体が外部から受ける衝撃を和らげる緩衝手段を有しているものは、外殻体が外部から衝撃を受けた場合でも緩衝手段が衝撃を和らげる。
【００２８】
外殻体が正五角形の枠構造体と正六角形の枠構造体が複数結合されることで形成されているものは、同程度の大きさの出入口を周面全体にわたって均等に設けることができる。
【発明の効果】
【００２９】
本発明は上記構成を備え、次の効果を有する。
（ａ）本発明によれば、外側の外殻体が障害物に接触する等により災害避難用装置がどのような角度で傾いていたとしても、中のカプセル（室内スペース）は本質的に水平状態に保たれるので、中に避難した避難者が常に通常の姿勢を保つことができる。
【００３０】
（ｂ）外殻体内に収容され、外殻体に対し自由方向に回動可能な中殻体を備えているものは、カプセルと外殻体の間に中殻体を有する構造となっている。これにより、カプセルに対する外部から衝撃が中殻体によって緩和されるので、室内スペース内の安全性を高めることができる。また、例えば水上で激しい波に打たれた場合でも、中殻体によって波は直接的にカプセルに当たることはないので、カプセルは波による揺れの影響を受けにくい。更にカプセルは中殻体に対し、自由方向に回動可能であるので、単純な左右方向だけの揺れだけでなく、あらゆる方向からの揺れに対応できる。
【００３１】
（ｃ）外殻体が出入口を周面全体にわたって複数有しているものは、内部出入口または中部出入口がどの位置にきても外殻体の出入口と合いやすいので、避難者は安全に装置外へ脱出することができる。
【００３２】
（ｄ）内部出入口と中部出入口を合わせるために、カプセルまたは／及び中殻体を回動させる回動手段を有しているものは、障害物に接触したり、物が挟まるなど何らかの原因で内部出入口と中部出入口が合っていない場合でも、回動手段によりその位置を合わせることができる。したがって、避難者は安全に装置外へ脱出することができる。  
【００３３】
（ｅ）外殻体が外部から受ける衝撃を和らげる緩衝手段を有しているものは、外部から受けた衝撃を緩衝手段が和らげるので、室内スペース内の安全性を高めることができる。
【００３４】
（ｆ）外殻体は正五角形の枠体と正六角形の枠体が複数結合されることで形成され、該枠体で囲まれた空間箇所が出入口を構成しているものは、同程度の大きさの出入口を周面全体にわたって均等に設けることができる。よって、外殻体の位置によって出入口の大きさに大きなバラツキは生じないので、避難者はどの位置からも脱出しやすい構造となっている。
【発明を実施するための最良の形態】
【００３５】
以下、本発明を実施例により説明するが、本発明はこれらに限定されるものではない。
【００３６】
本発明を図面に示した実施例に基づき更に詳細に説明する。
【実施例１】
【００３７】
図１ないし図３は、本発明に係る災害避難用装置の第一の実施例を示す説明図である。
図１は、災害避難用装置の斜視説明図、
図２は、災害避難用装置を断面して内部構造を表した側面視説明図であり、災害避難用装置内に避難者が避難している状態を示している。
図３は、カプセルを回動可能に支持する転動体を示す部分拡大断面説明図である。
なお、図２では、転動体３１を備えた接合部材３の構造を簡略化して図示している。これについては図４についても同様である。  
【００３８】
符号Ａ１は、水上浮遊型の災害避難用装置Ａ１を示している。災害避難用装置Ａ１は、例えば津波によって家屋と共に押し流されるような状況となっても、水上に浮遊して安全に避難できるように設計されている。
【００３９】
災害避難用装置Ａ１は、棒状の連結部である棒状体１１により球殻状（球状）に形成された外殻体であるフレーム構造体１と、該フレーム構造体１の内部で自由方向に回動可能な球形のカプセル２とを備えた二重構造となっている。フレーム構造体１の内側には、カプセル２を回動可能に支持する球状（ボール状）の転動体３１が設けてある。カプセル２は、その内部に水密性が保たれた室内スペース２００を有する。転動体３１は、円筒ころ、棒状ころ、針状ころ、球面ころ等を使用することもできる。転動体３１は、金属製材料や硬質プラスチック等の合成樹脂で形成できる。
【００４０】
フレーム構造体１は、棒状体１１を接合部材３を介して連結することで、正五角形と正六角形の枠構造体を構成し、この枠構造体を複数結合すること全体として球殻状に形成されている。棒状体１１は、例えばチタン合金やステンレス鋼等の金属材料や硬質プラスチック等で形成されている。詳しくは、フレーム構造体１は、正五角形をした１２個の枠体と、正六角形をした２０個の枠体を結合することで構成された、いわゆる「サッカーボール形状」あるいは「フラーレン構造」と称される構造を有している。
【００４１】
フレーム構造体１は、棒状体１１で囲まれた開口部によって、後述するカプセル２の内出入口２０ａ，２０ｂと通じる出入口３０を周面全体にわたって多数有している。つまり、棒状体１１で囲まれた空間箇所は、その全てが出入口となる。
【００４２】
更に上記したように、フレーム構造体１が正五角形の枠体と正六角形の枠体が複数結合されることで形成されているので、同程度の大きさの出入口３０を周面全体にわたって均等に設けることができる。よって、フレーム構造体１の位置によって出入口３０の大きさに大きなバラツキは生じないので、避難者はどの位置からも脱出しやすい構造となっている。なお、出入口３０の形状は、正五角形や正六角形等以外の円形状や楕円形状、長方形状や正方形状としても良い。
【００４３】
棒状体１１と棒状体１１の接合部分に設けられた接合部材３（図３参照）は、上記した転動体３１を備えている。接合部材３は、転動体３１がフレーム構造体１の内方（カプセルの外面側）に向くように配置され、転動体３１がカプセル２の外周面に当接している。
【００４４】
図３に示すように、接合部材３は、転動体３１を進退可能に収容する収容部３２を備えたカップ状の収容体３３を備えている。転動体３１は、一部が先端側に表れた状態で軸受部３４内に回動可能に収容されている。軸受部３４は、収容体３３内部に設けてある付勢手段である付勢スプリング３５（弾性体である圧縮コイルバネ）によってカプセル２の表面に当接する方向に付勢されており、収容体３３の先端側の掛止部３３１によって収容体３３から抜け出ないようになっている。軸受部３４の底面部中央には、付勢スプリング３５の孔内に挿設する棒状の挿設部３４１が設けてある。
【００４５】
なお、本実施例では、転動体３１と付勢スプリングを備えた支持機構を棒状体１１と棒状体１１の接合部分に設けているが、特にこれに限定するものではなく、接合部分の隣や棒状体１１の中間部分等に設けることもできる。
【００４６】
収容体３３の先部側（収容部３２の開口部と反対側、フレーム構造体１の外面側）は、全体的に丸みを帯びながら先端部に向けてやや尖った形状となっている。そして、図２に示すように、収容体３３が地面と接地した際には、同じ正五角形や正六角形を形成する他の接合部材３の収容体３３と共にやや丸みを帯びた部分が地面に当接し、フレーム構造体１を少しの揺れでは転がらないように支持する。
【００４７】
カプセル２は、耐熱性及び水密性等に優れたチタン合金等の金属製素材によって形成されている。カプセル２は、所要の位置に設けられた開閉扉４ａ，４ｂによって水密に閉塞可能な内出入口２０ａ，２０ｂを有している。本実施例では、内出入口２０ａ，２０ｂは室内スペース２００の天井部と斜め上方に二箇所に設けてあるが、その位置や設置数は特に限定されない。
【００４８】
開閉扉４ａ，４ｂはフレーム構造体１に接触しないように、ヒンジ４１を軸として内側（室内スペース２００側）へ開くように構成されている。開閉扉４ａ，４ｂを閉じると自動的にロックがかかるようになっている。なお、後述するフレーム構造体１の棒状体１１で囲まれた開口部で構成される出入口３０よりも開閉扉４ａ，４ｂの大きさが小さい等、フレーム構造体１が開閉扉４ａ，４ｂの開閉の妨げとならないのであれば、外側（フレー構造体１側）に開くタイプの開閉扉を採用することもできる。
【００４９】
符号２０１は、ガラスや透明または半透明の合成樹脂等によって形成された耐圧性及び耐水性を有する窓部を示している。図１に示す符号２０２は、各開閉扉４ａ，４ｂを開閉する際に操作する把手部を示している。把手部は開閉扉４ａ，４ｂの内側にも設けてある。
【００５０】
室内スペース２００の底部側には、バランス体であるバランス用の錘２２が設けてある。このバランス用の錘２２により、フレーム構造体１に対してカプセル２の水平状態が保たれるので、室内スペース２００内に入った避難者は通常の姿勢を保つことができる。
【００５１】
室内スペース２００内には、中央に立設された円形状の掴まり部２３の周りを囲むように、座席２４が周方向に連続的して配置されている。座席２４には所要数のシートベルト２４２が取り付けてある。座席２４は、クッション性を有する背もたれ部２４１を備えている。背もたれ部２４１は、カプセル２の内面部を沿うように天井側に向けて広く設けられている。これにより、外部から受ける衝撃や揺れによって、座席２４に座った避難者が頭部を壁面に打ち付けることを防止している。
【００５２】
座席２４の下には、飲料用の水タンク２５や酸素ボンベ２６等が収容されている。図示しているように、水タンク２５から掴まり部２３の上部まで吸水用のパイプ２５１を通すことにより、いつでも水を飲めるような構造とすることもできる。また室内スペース２００には、その他、食料、ヘルメット、消臭固化剤を有する簡易トイレ、救急薬、簡易式のテレビ、ラジオ等の様々な各種の避難装備を収容することが好ましい。
【００５３】
更には室内スペース２００内に、照明装置、換気装置、ＧＰＳ（Global Positioning System）等の位置確認システム、発電機や充電池等を設けることもできる。また災害避難用装置Ａ１の外部側には、救助者へ合図を送るための点灯ランプ等の報知手段等を設けることもできるし、太陽電池パネル等を設けることもできる。
【００５４】
（作  用）
図２を参照して、災害避難用装置Ａ１の作用を説明する。
災害避難用装置Ａ１は直ぐに避難できるような場所、例えば自宅の庭先や可能であれば屋内、あるいはベランダやバルコニー等に設置しておくことが好ましい。
【００５５】
そして、図２に示すように、例えば地震が起きた場合は、直ちに側方の内出入口２０ｂから災害避難用装置Ａ１の室内スペース２００に乗り込む。なお、災害避難用装置Ａ１の設置場所によっては、天井部側の内出入口２０ａから乗り込むようにしても良い。本実施例のように、内出入口４ｂをやや高い位置に設けた場合は、内出入口４ｂに入る際にぶら下がり用の掴まり棒６１を備えた踏み台６などを利用することができる。
【００５６】
開閉扉４ｂを閉めて座席２４に座り、シートベルト２４２を締め、津波の来襲に備える。万一、津波が襲ってきた場合は、その波によって押し流されるような状況となるが、災害避難用装置Ａ１は水上に浮遊する構造となっているため、水没することなく、水上へ安全に避難できる。
【００５７】
更に災害避難用装置Ａ１は球状に形成され、フレーム構造体１の外部には余計な突起物等が設けられていないため、倒壊した家屋などの障害物等に引っ掛かりにくく、水面浮上時の障害になりにくい。
【００５８】
また、図３に示す接合部材３の転動体３１は、付勢スプリング３５によって付勢されることでカプセル２に対して進退可能となっている。これにより、外部から多少の衝撃を受けた場合でも、転動体３１に対して両側の棒状体１１，１１が内側に移動するので、外部からカプセル２に対する衝撃を緩和することができる。
【００５９】
なお、棒状体１１を柔軟性または可撓性を有する素材で形成することにより、外部から受けた衝撃を棒状体１１が変形して吸収するように構成することもできる。
【００６０】
更に、室内スペース２００を備えたカプセル２は、フレーム構造体１の内部で自由方向に回動可能となっている。そして、バランス用の錘２２により、フレーム構造体１に対してカプセル２の水平状態が保たれるようになっている。したがって、例えば津波に流された後に海岸の岩場等に打ち上げられたような場合に、フレーム構造体１が上下逆に傾いたとしても、避難者は通常の姿勢を保つことができる。
【００６１】
また上記したように、フレーム構造体１は、カプセル２の内出入口２０ａ，２０ｂと通じる出入口３０を周面全体にわたり多数有している。しかも、バランス用の錘２２によってカプセル２の出入口２０ａは絶えず上方側を向き、地面側に向くようなことはない。よって、内出入口２０ａ，２０ｂが地面によって塞がり、脱出ができないというようなことはない。
【００６２】
万一、外部からの障害物（倒壊した樹木や家屋の瓦礫等）が引っ掛かる等により、一方の出入口４ｂが地面に向いた状態でカプセル２が動かなくなったとしても、他方の出入口４ａから脱出することができる。また、開閉扉４ａ，４ｂを二箇所だけではなく、三箇所以上設けることもでできる。
【００６３】
更に、万一、開閉扉４ａ，４ｂを内側に開けた際にカプセル２の出入口２１の前に、フレーム構造体１の棒状体１１が張り出しているような状況であっても、開閉扉４ｂを開けて手を伸ばし、人が通るような位置までカプセル２を手動で回動すれば良い。あるいは、接合部材３間にある棒状体１１を取り外し可能に構成し、脱出時に邪魔になるような棒状体１１を取り外すようにしても良い。
【実施例２】
【００６４】
図４ないし図７は、本発明に係る災害避難用装置の第二の実施例を示す説明図である。
図４は、災害避難用装置を断面して内部構造を表した側面視説明図であり、災害避難用装置内に避難者が避難している状態を示している。
図５は、中殻体及びカプセルを回動可能に支持する転動体を示す部分拡大断面説明図である。
【００６５】
なお、第１の実施例で示した作用のうち同様のものは説明を省略する。また、第１の実施例で示してある箇所と同等箇所については、説明を省略し、主に相異点を説明する。
【００６６】
図４及び図５に示すように、本実施例に係る災害避難用装置Ａ２は、カプセル２とフレーム構造体１の間に、カプセル２及びフレーム構造体１に対して自由方向に回動可能であり、水密性が保たれた球形の中殻体７を設けた三重構造となっている。中殻体７の内側には、カプセル２を回動可能に支持する転動体７２が所要数全体にわたって設けてある。なお、転動体７２を実施例１に示した転動体３１と同様に、付勢スプリング３５によって進退可能な構造とすることもできる。
【００６７】
中殻体７は、カプセル２と同様、耐熱性及び水密性等に優れたチタン合金等の金属製素材によって形成されている。中殻体７の底部側には、バランス用の錘７１が設けてある。
中殻体７は、上記カプセル２の出入口２１と通じる中部出入口７０ａ，７０ｂを有している。中部出入口７０ａ，７０ｂは、内側に開閉する開閉扉８ａ，８ｂによって水密に閉塞可能である。中部出入口７０ａ，７０ｂは、室内スペース２００の天井側に相当する位置と、斜め上方位置の二箇所に設けてある。
【００６８】
上記したバランス用の錘２２により、カプセル２に対して中殻体７の水平状態が保たれ、カプセル２及び中殻体７の天井側の中部出入口７０ａは常に合うように構成されている。ただし、斜め上方に位置する出入口７０ｂは、カプセル２の回動によって、カプセル２の出入口２１と常時合っているとは限らない。そこで、本実施例では脱出時の安全性を向上させるため、中殻体７及びカプセル２の側方の各出入口７０ｂを合わせることができる回動装置９（下記図６参照）を設けた。
【００６９】
図６は、中殻体及びカプセルの各出入口を合わせることができる回動装置を説明するための平面視断面説明図である。
回動装置９は、カプセル２に突出可能に設けられたピニオン部材９１と、中殻体７の内面側に上記ピニオン部材９１のピニオン９１１とかみ合うラック部９２とを有する。そうして、室内スペース２００内からピニオン部材９１を操作することで、中殻体７を回動し、中殻体７とカプセル２の各出入口２０ｂ，７０ｂを合わせることができる。
【００７０】
以下、回動装置９について詳しく説明する。
ラック部９２は、中殻体７の内面部のほぼ赤道上に内周面に沿って連続して設けてある。ピニオン部材９１は、不要時にはカプセル２の外面から内側に窪ませて設けられた収容部２７に収容可能となっている。収容部２７奥の開口部（符号省略）には、ピニオン部材９１の摺動基体９１２が摺動しながら進退可能に挿設されている。摺動基体９１２の先端側にピニオン９１１が回動可能に取り付けてある。符号９１３，９１４は摺動基体９１２に鍔状に設けられたストッパーを示している。
【００７１】
室内スペース２００側から出た摺動基体９１２の基端部には、操作ハンドル９１５が設けてある。操作ハンドル９１５を回すことにより、ピニオン９１１が回転するようになっている。
【００７２】
更に、摺動基体９１２の基端側寄りには、円形の回動ハンドル９１６が取り付けてある。回動ハンドル９１６を前後に移動させることにより、ピニオン部材９１を収容部２７から進退させることができる。また、回動ハンドル９１６を周方向に回すことにより、ピニオン９１１の傾斜角度を調整することができる。これにより、ピニオン９１１がラック部９２の溝部と正確に噛み合うように調整できる。
【００７３】
更に、本実施例ではラック部９２は赤道上に一周設けているが、上記したようにピニオン９１１の傾斜角度は変えることができるので、ラック部９２を中殻体７の内面部全体に所要の傾斜角度で多数設けることもできる。このようにすれば、仮に中殻体７が外部からの障害物等に引っ掛かってバランス用の錘７１（図４参照）による水平状態を保てない場合でも、ラック部９２が中殻体７の内面部全体に設けてあるので、ピニオン部材９１とラックが噛み合わないという不都合を防止できる。
【００７４】
図７は、カプセルをフレーム構造体に対して回転しないように固定している状態を示す部分拡大断面説明図である。
図７に示すように、脱出時にカプセル２がフレーム構造体１に対して回動しないように、カプセル２とフレーム構造体１とを固定ベルト２８，２８で固定することもできる。本実施例では、固定ベルト２８がカプセル２の内出入口２０ａ，２０ｂ（側方側の固定ベルトは図示省略）付近に設けてある。そして、各開閉扉４ａ，８ａ等を開いた状態で、固定ベルト８の一端部をフレーム構造体１の棒状体１１に回し掛けして締め付け、固定している。
【００７５】
（作  用）
図４ないし図７を参照して、災害避難用装置Ａ２の作用を説明する。なお、第１の実施例で示した作用のうち同様のものは説明を省略する。
本実施例に係る災害避難用装置Ａ２では、カプセル２とフレーム構造体１の間に中殻体７を有する三重構造となっている。これにより、カプセル２に対する外部から衝撃がフレーム構造体１によって緩和されるので、室内スペース内の安全性を高めることができる。
【００７６】
また、水面上に浮遊しているときに激しい波を受けても、波は室内スペース２００を有するカプセル２ではなく中殻体７にぶつかるので、波による揺れの影響を受けにくく、避難者は通常の姿勢を保ちやすい。またカプセル２は中殻体７に対し、自由方向に回動可能であるので、単純な左右方向だけの揺れだけでなく、あらゆる方向からの揺れに対応できる。
【００７７】
更に上記したように、中殻体７の底部にはバランス用の錘７１が設けてあり、カプセル２及び中殻体７の天井側の出入口２０ａ，７０ａは常に合うように構成されている。また回動装置９により、斜め上部方向の出入口２０ｂ，７０ｂも合わせることができるように構成されている。このように、強度を向上させるため三重構造を採用した本実施例であっても、脱出時の出入口は十分に確保されている。
【００７８】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００７９】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００８０】
【図１】本発明に係る災害避難用装置の第一の実施例を示す斜視説明図。
【図２】災害避難用装置を断面して内部構造を表した側面視説明図であり、災害避難用装置内に避難者が避難している状態を示している。
【図３】カプセルを回動可能に支持する転動体を示す部分拡大断面説明図。
【図４】本発明に係る災害避難用装置の第二の実施例を示し、災害避難用装置を断面して内部構造を表した側面視説明図であり、災害避難用装置内に避難者が避難している状態を示している。
【図５】中殻体及びカプセルを回動可能に支持する転動体を示す部分拡大断面説明図。
【図６】中殻体及びカプセルの各出入口を合わせることができる回動装置を説明するための平面視断面説明図。
【図７】カプセルをフレーム構造体に対して回転しないように固定している状態を示す部分拡大断面説明図。
【符号の説明】
【００８１】
Ａ１，Ａ２ 災害避難用装置
１ フレーム構造体
１１ 棒状体
２ カプセル
２００ 室内スペース
２０１ 窓部
２０２  把手部
２０ａ，２０ｂ 内出入口
２２ バランス用の錘
２３ 掴まり部
２４ 座席
２４１ 背もたれ部
２４２ シートベルト
２５ 水タンク
２５１ パイプ
２６ 酸素ボンベ
２７ 収容部
２８ 固定ベルト
３ 接合部材
３０ 出入口
３１ 転動体
３２ 収容部
３３ 収容体
３３１ 掛止部
３４ 軸受部
３４１ 挿設部
３５ 付勢スプリング
４ａ，４ｂ 開閉扉
４１ ヒンジ
６ 踏み台
６１ 掴まり棒
７ 中殻体
７０ａ，７０ｂ  中部出入口
７１ バランス用の錘
７２ 転動体
８ 固定ベルト
８ａ，８ｂ 開閉扉
９ 回動装置
９１ ピニオン部材
９１１ ピニオン
９１２ 摺動基体
９１３，９１４ ストッパー
９１５ 操作ハンドル
９１６ 回動ハンドル
９２ ラック部